(57)【特許請求の範囲】
【請求項１】
光ディスク原盤にレーザー光を照射して所定の情報を記録する光ディスク原盤作成装置において、
前記所定の情報データが記録されているマスターから前記所定の情報データを読み取って記録変調信号を生成する変調手段と、
前記記録変調信号をチャンネルクロックに従って発生させた発生信号を出力する変調信号出力手段と、
前記光ディスク原盤の半径方向に移動し、前記発生信号に応じて前記レーザー光を前記光ディスク原盤表面に照射するヘッドと、前記光ディスク原盤を回転させるモーターとを備えた記録手段と、
前記ヘッドの送り制御と、前記光ディスク原盤を回転速度一定で回転させる回転制御を行なうとともに、前記光ディスク原盤の半径方向に対する前記ヘッドの記録位置と、前記光ディスク原盤を回転させるために要した前記モーターの回転パルス数を計測したタコパルスとを有する位置情報を生成する記録制御手段と、
前記ヘッドの記録位置と前記ヘッドの記録位置に応じたチャンネルクロックの周波数を設定するための周波数設定情報とを対応付けた変換情報と、前記タコパルスと前記タコパルスに基づく前記光ディスク原盤の回転数に応じた前記ヘッドの記録位置の補正値とを対応付けたタコパルス半径変換情報とを有し、前記記録制御手段から前記位置情報を取得し、前記タコパルス半径変換情報を参照して前記タコパルスに応じたヘッドの記録位置の補正値を算出し、該補正値でヘッドの記録位置を補正し、補正した前記ヘッドの記録位置に応じたチャンネルクロックの周波数に対応する周波数設定情報を、前記変換情報を参照して取得し、該周波数のチャンネルクロックを生成するチャンネルクロック生成手段と、
を有することを特徴とする光ディスク原盤作成装置。
【請求項２】
前記チャンネルクロック生成手段は、前記光ディスク原盤を線速度一定のＣＬＶ（Constant Linear Velocity）方式で記録を行なう場合、前記光ディスク原盤の半径に比例して前記チャンネルクロックの周波数を高くする変換情報を有していることを特徴とする請求項１記載の光ディスク原盤作成装置。
【請求項３】
前記チャンネルクロック生成手段は、前記ヘッドの記録位置を前記チャンネルクロック周波数に相当する電圧値に変換し、前記電圧値に応じた電圧を発生させるＤ／Ａ変換器と、前記電圧に応じてクロックを発振するＶＣＯ（Voltage Control Oscillator）と、を有することを特徴とする請求項１記載の光ディスク原盤作成装置。
【請求項４】
前記チャンネルクロック生成手段は、前記ヘッドの記録位置に応じた前記チャンネルクロックの周波数を算出し、算出された前記チャンネルクロックの周波数を生成するデジタルシンセサイザーであることを特徴とする請求項１記載の光ディスク原盤作成装置。
【請求項５】
光ディスク原盤にレーザー光を照射して所定の情報を記録する光ディスク原盤作成方法において、
前記光ディスク原盤の半径方向に移動して前記レーザー光の照射を行なうヘッドと、前記光ディスク原盤を回転させるモーターと、を有する光ディスク原盤作成装置が、
前記所定の情報データが記録されているマスターから前記所定の情報データを読み取って記録変調信号を生成し、
前記記録変調信号をチャンネルクロックに従って発生させた発生信号を出力し、
前記光ディスク原盤を回転速度一定で回転させる回転制御と、前記ヘッドを移動させる送り制御とを行なって、前記光ディスク原盤表面に前記発生信号に応じて前記レーザー光を照射する手順と、
前記光ディスク原盤の半径方向に対する前記ヘッドの記録位置と、前記光ディスク原盤を回転させるために要した前記モーターの回転パルス数を計測したタコパルスとを有する位置情報を生成し、
前記ヘッドの記録位置と前記ヘッドの記録位置に応じたチャンネルクロックの周波数を設定するための周波数設定情報とを対応付けた変換情報と、前記タコパルスと前記タコパルスに基づく前記光ディスク原盤の回転数に応じた前記ヘッドの記録位置の補正値とを対応付けたタコパルス半径変換情報とを有し、前記位置情報を取得し、前記タコパルス半径変換情報を参照して前記タコパルスに応じたヘッドの記録位置の補正値を算出し、該補正値でヘッドの記録位置を補正し、補正した前記ヘッドの記録位置に応じたチャンネルクロックの周波数に対応する周波数設定情報を、前記変換情報を参照して取得し、
該周波数のチャンネルクロックを生成する手順と、
を有することを特徴とする光ディスク原盤作成方法。
【発明の詳細な説明】
【０００１】
【発明の属する技術分野】
本発明は光ディスク原盤作成装置及び光ディスク原盤作成方法に関し、特に光ディスク原盤にレーザー光を照射して所定の情報を記録する光ディスク原盤作成装置及び光ディスク原盤作成方法に関する。
【０００２】
【従来の技術】
一般に、光ディスク原盤を作成する場合の情報記録方式には、角速度一定のＣＡＶ（Constant Angular Velocity）方式によるものと、線速度一定のＣＬＶ方式によるものとがある。ＣＡＶ方式では、光ディスクの原盤を角速度一定で回転させながらカッティングを行なう。一方、ＣＬＶ方式では、線速度を一定にするため、光ディスクの原盤が半径に比例した回転速度となるように回転制御しながらカッティングを行なう。現行の光ディスク、例えばＣＤ（Compact Disk）、ＭＤ（Mini Disk）、ＤＶＤ（Digital Versatile Disk）、及び今後の新フォーマット（Blue‐disc）等は、ＣＬＶ方式によって原盤への情報記録が行なわれている。
【０００３】
ＣＬＶ方式を用いた光ディスク原盤作成装置について説明する。図９は、従来の光ディスク原盤作成装置の構成図である。
光ディスク原盤作成装置は、マスターの光ディスク３００の情報を読み込んでＥＦＭ信号を生成するＥＦＭ信号送出装置４００と、ＥＦＭ信号に応じてガラス原盤５３０に照射するレーザー光を制御してカッティングを行なうレーザービーム・レコーダ５００と、から構成される。
【０００４】
ＥＦＭ信号送出装置４００は、読み取りドライブ４１０によってマスターの光ディスク３００に記録されている情報データをＣＰＵ４２０へ読み込む。ＣＰＵ４２０は、必要な信号処理を施し、変調した信号をＥＦＭ出力回路４３０に送る。ＥＦＭ出力回路４３０は、基準チャンネルクロック４４０の供給するクロックに同期してＥＦＭ信号をレーザービーム・レコーダ５００へ出力する。
【０００５】
レーザービーム・レコーダ５００は、ＥＬ変換５１０によって入力したＥＦＭ信号に電気−光変換を施す。光に変換された信号パターンは、レーザー５２０より出力され、ガラス原盤５３０に信号パターンがＣＬＶで記録される。ＣＬＶで記録するため、モーター５４０はレーザー５２０の半径位置から回転制御する必要があり、制御ブロック５５０は、レーザー５２０の送り制御とともにモーター５４０の回転制御を行なう。
【０００６】
【発明が解決しようとする課題】
しかし、従来のＣＬＶ記録を行なう光ディスク原盤作成装置には、回転制御の精度を上げるためにレーザービーム・レコーダの構造が複雑になってしまうという問題がある。
【０００７】
従来のＣＬＶ記録では、制御ブロック５５０は、ガラス原盤５３０の線速度を一定とするため、モーター５４０による回転の制御を行なう。図１０は、従来のＣＬＶ方式のＥＦＭ信号と原盤の回転数の関係を示した図である。
【０００８】
図に示したように、ＣＬＶによる記録では、信号パターンは一定周波数で、回転数を半径に応じて内周から外周にかけて下げていく。ＣＤ１倍速の場合、回転数は、内周部（直径５０ｍｍ）で最大約６００ｒｐｍ、外周部（直径１１６ｍｍｍ）で最小約２００ｒｐｍである。
【０００９】
しかしながら、回転制御の精度を上げるためには、そのための回路が追加されたり、ガラス原盤５３０の回転イナーシャに勝るレスポンスの良いモーターが必要であったりする等、レーザービーム・レコーダ５００の構造を複雑にする原因となっていた。さらに、このために要するコストも多大なものとなっていた。
【００１０】
また、回転制御において内周から外周に向かって回転速度を順次下げていく場合、共振点が発生してしまうという、問題もある。
本発明はこのような点に鑑みてなされたものであり、構成が簡単でかつ精度の高い記録制御を行なうことが可能な光ディスク原盤作成装置及び光ディスク原盤作成方法を提供することを目的とする。
【００１１】
【課題を解決するための手段】
本発明では上記課題を解決するために、光ディスク原盤にレーザー光を照射して所定の情報を記録する光ディスク原盤作成装置において、所定の情報データが記録されているマスターから所定の情報データを読み取って記録変調信号を生成する変調手段と、記録変調信号をチャンネルクロックに従って発生させた発生信号を出力する変調信号出力手段と、光ディスク原盤の半径方向に移動し、発生信号に応じてレーザー光を光ディスク原盤表面に照射するヘッドと、光ディスク原盤を回転させるモーターとを備えた記録手段と、ヘッドの送り制御と、光ディスク原盤を回転速度一定で回転させる回転制御を行なうとともに、光ディスク原盤の半径方向に対するヘッドの記録位置と、光ディスク原盤を回転させるために要したモーターの回転パルス数を計測したタコパルスとを有する位置情報を生成する記録制御手段と、ヘッドの記録位置とヘッドの記録位置に応じたチャンネルクロックの周波数を設定するための周波数設定情報とを対応付けた変換情報と、タコパルスとタコパルスに基づく光ディスク原盤の回転数に応じたヘッドの記録位置の補正値とを対応付けたタコパルス半径変換情報とを有し、記録制御手段から位置情報を取得し、タコパルス半径変換情報を参照してタコパルスに応じたヘッドの記録位置の補正値を算出し、該補正値でヘッドの記録位置を補正し、補正したヘッドの記録位置に応じたチャンネルクロックの周波数に対応する周波数設定情報を、変換情報を参照して取得し、該周波数のチャンネルクロックを生成するチャンネルクロック生成手段と、を有することを特徴とする光ディスク原盤作成装置、が提供される。
【００１２】
このような構成の光ディスク原盤作成装置では、変調手段は、所定の情報データが記録されているマスターから情報データを読み取り、読み取った情報データから記録変調信号を生成し、変調信号出力手段へ出力する。変調信号出力手段は、チャンネルクロックに従って記録変調信号を出力する。出力信号は、チャンネルクロックと記録変調信号とに基づいて１／０を発生させる発生信号として記録手段に出力される。記録手段は、記録制御手段に従って、モーターが光ディスク原盤を回転させるとともに、ヘッドが発生信号に応じてレーザー光を光ディスク原盤表面に照射して情報データを記録する。このとき、記録制御手段は、ヘッドの位置を制御する送り制御を行なうとともに、光ディスク原盤の半径方向に対するヘッドの記録位置と、光ディスク原盤を回転させるために要したモーターの回転パルス数を計測したタコパルスとを有する位置情報を生成し、チャンネルクロック生成手段へ送る。また、光ディスク原盤が回転速度一定で回転するようにモーターをコントロールする回転制御を行なう。チャンネルクロック生成手段は、ヘッドの記録位置とヘッドの記録位置に応じたチャンネルクロックの周波数を設定するための周波数設定情報とを対応付けた変換情報と、タコパルスとタコパルスに基づく光ディスク原盤の回転数に応じたヘッドの記録位置の補正値とを対応付けたタコパルス半径変換情報とを有する。そして、記録制御手段から位置情報を取得し、タコパルス半径変換情報を参照して、タコパルスに応じたヘッドの記録位置の補正値を算出し、該補正値でヘッドの記録位置を補正する。さらに、補正したヘッドの記録位置に応じたチャンネルクロックの周波数に対応する周波数設定情報を、変換情報を参照して取得し、該周波数のチャンネルクロックを生成して変調信号出力手段へ供給する。
【００１３】
また、上記課題を解決するために、上記の光ディスク原盤作成装置の各処理手段と同様の処理手順を実行する光ディスク原盤作成方法、が提供される。
【００１５】
【発明の実施の形態】
以下、本発明の実施の形態を図面を参照して説明する。なお、以下に述べる実施形態は、本発明の好適な具体例であるから、技術的に好ましい種々の限定が付されているが、本発明の範囲は、以下の説明において特に限定する記載がない限り、これらの形態に限られたものではない。
【００１６】
図１は、本発明の一実施の形態である光ディスク原盤作成装置の構成図である。これは、ＥＦＭ変調を行なうＣＤの原盤作成の一例である。
本発明に係る光ディスク原盤作成装置は、マスターの光ディスク３００に記録された情報データを読み取り、ＥＦＭ信号（８―１４変調信号、Eight to Fourteen modulation code）を送出するＥＦＭ信号送出装置１００と、ＥＦＭ信号に基づいて光ディスク原盤に情報データを記録するレーザービーム・レコーダ２００とから構成される。
【００１７】
ＥＦＭ信号送出装置１００は、マスターの光ディスク３００から情報データを取得する読み取りドライブ１１０、記録変調信号を生成する変調手段であるＣＰＵ１２０、発生信号を出力する変調信号出力手段であるＥＦＭ出力回路１３０及び発生信号を出力するチャンネルクロックを生成するチャンネルクロック生成手段１４０から構成される。レーザービーム・レコーダ２００は、ＥＦＭ信号を光信号に変換するＥＬ変換２１０、レーザー光を照射するヘッド２２０、光ディスク原盤であるガラス原盤２３０、ガラス原盤２３０を回転させるモーター２４０及びヘッド２２０の送り制御とガラス原盤２３０の回転制御を行なうとともにヘッド２２０の位置に関する位置情報を生成する記録制御手段である制御ブロック２５０から構成される。
【００１８】
読み取りドライブ１１０は、マスターの光ディスク３００に記録された所定の情報データを全領域にわたって順次再生し、ＣＰＵ１２０へ送る。マスターの光ディスク３００は、ＣＤ−Ｒ等のマスターメディア（情報源）であり、ガラス原盤２３０に記録する所定の情報データが記録されている。所定の情報データは、音楽データ、映像データ、あるいは、プログラム等の任意の情報データである。
【００１９】
ＣＰＵ１２０は、変調処理プログラムを読み出し、変調処理プログラムに従って読み取りドライブ１１０により再生された情報データにＥＦＭ変調信号処理を施す。変調信号処理により生成されたＥＦＭ変調信号データストリーム（以下、データストリームとする）は、ＥＦＭ出力回路１３０へ出力される。
【００２０】
ＥＦＭ出力回路１３０は、ＣＰＵ１２０から出力されるデータストリームを所定のクロックで出力することにより、ＥＦＭ信号を発生させる。ＥＦＭ信号は、チャンネルクロックに従って、データストリームの１／０を発生させた信号である、ＥＦＭ信号は、レーザービーム・レコーダ２００に送られる。
【００２１】
チャンネルクロック生成手段１４０は、制御ブロック２５０からヘッド２２０の位置を示す位置情報を取得し、これらの位置情報に基づいてチャンネルクロックの周波数を設定し、設定に基づくチャンネルクロックを発生させ、ＥＦＭ出力回路１３０へ出力する。
【００２２】
ＥＬ変換２１０は、電気信号であるＥＦＭ信号を光信号に変換し、ヘッド２２０に搭載されたレーザーに出力する。
ヘッド２２０は、制御ブロック２５０に従ってガラス原盤２３０の半径方向を移動し、搭載されたレーザーよりＥＬ変換２１０から入力した光信号に基づいてレーザー光をガラス原盤２３０表面に照射する。
【００２３】
モーター２４０は、制御ブロック２５０に従って、ガラス原盤２３０が一定の回転数で回転するように動作する。
制御ブロック２５０は、ヘッド２２０の送り制御とモーター２４０によるガラス原盤２３０の回転制御を行なう。また、ガラス原盤２３０の半径方向に対するヘッド２３０の位置に関する位置情報として半径情報を生成し、チャンネルクロック生成手段１４０へ送る。さらに必要に応じて、ヘッド２２０の正確な位置を算出するため、ガラス原盤２３０が回転するのに要したモーター２４０の回転パルス数を計測したタコパルスを取得し、チャンネルクロック生成手段１４０へ送る。
【００２４】
このような構成の光ディスク原盤作成装置の動作及び光ディスク原盤作成方法について説明する。
ＥＦＭ信号送出装置１００の読み取りドライブ１１０は、マスターの光ディスク３００から記録する情報データを読み取り、ＣＰＵ１２０へ送る。ＣＰＵ１２０では、情報データをＥＦＭデータストリームに変調し、ＥＦＭ出力回路１３０へ送る。ＥＦＭ出力回路１３０は、チャンネルクロック生成手段１４０が供給するチャンネルクロックに従ってＥＦＭデータストリームを出力し、ＥＦＭ信号としてレーザービーム・レコーダ２００へ出力する。レーザービーム・レコーダ２００のＥＬ変換２１０は、ＥＦＭ信号を光信号に変換する。制御ブロック２５０は、モーター２４０をコントロールしてガラス原盤２３０が一定回転数で回転するように回転制御を行なうとともに、ヘッド２２０の送り制御を行なう。ヘッド２２０は、光信号に応じてレーザー光をガラス原盤２３０に照射し、ガラス原盤２３０表面に情報データを記録する。このとき、制御ブロック２５０は、ヘッド２２０の位置情報として、ヘッド２２０のガラス原盤２３０の半径方向に対する位置を示す半径情報と、必要に応じてタコパルスと、をチャンネルクロック生成手段１４０へ送る。
【００２５】
チャンネルクロック生成手段１４０は、半径情報と、必要に応じてタコパルスとを取得し、記録が行なわれているガラス原盤２３０の半径方向の正確な位置（以下、記録半径とする）を算出し、記録半径に応じたチャンネルクロックを生成する。例えば、ＣＬＶ方式の記録を行なう場合、ガラス原盤２３０の記録半径を算出し、記録半径に比例してチャンネルクロックの周波数を高くする。
【００２６】
記録半径とチャネルクロックの周波数を図で説明する。図２は、本発明の一実施の形態である光ディスク原盤作成装置におけるＣＬＶ方式のＥＦＭ信号と原盤の回転数の関係を示した図である。図からわかるように、本発明の光ディスク原盤作成装置では、回転数を一定に保ち、信号パターンの周波数を半径に応じて、内周から外周にかけてあげていく。すなわち、ガラス原盤２３０の記録半径に比例してチャンネルクロックの周波数を高くする。例えば、ＣＤを１倍速で記録する場合、最内周部における基準のチャンネルクロックを４．３２１８Ｍｈｚとすると、最外周部と最内周部との半径比は２．３２倍（最外周部半径１１６ｍｍ／最内周部半径５０ｍｍ）であることから、最外周部でのチャンネルクロックは１０．０６５Ｍｈｚとなる。このようにして作成されたガラス原盤２３０の信号パターンは、図１０に示した従来のＣＬＶ方式で記録した場合の信号パターンと同じものになる。
【００２７】
このように本発明によれば、ガラス原盤の回転速度一定（ＣＡＶ方式）で、ＣＬＶ方式の記録を行なうことができる。このため、制御ブロックでは、一定回転を保つようにモーターを制御すればよく、複雑な回転制御の機構を設ける必要がなくなる。一般に、メカ系を含む回転制御に比べ、電気系のみの周波数制御の方が、簡潔で安価である。このように、回転制御を簡素化することで、レーザービーム・レコーダの低価格化が可能となる。さらに、従来のレーザービーム・レコーダをそのまま適用することができる。
【００２８】
また、従来のＣＬＶ方式の最内周部での回転数で本発明の光ディスク原盤作成装置を動作させると、従来に比べて（（ｎ＋１）／２）倍、速くカッティングを行なうことができる。ここで、ｎは、内周と外周の半径比である。このように、従来のレーザービーム・レコーダを適用しても、カッティング時間を短縮することができるので、光ディスク原盤作成の効率を上げることができる。
【００２９】
当然ながら、本発明の光ディスク原盤作成装置を用いてＣＡＶ方式の記録を行なうこともできる。さらに、部分ＣＡＶの光ディスク原盤を作成することも容易にできる。
【００３０】
次に、チャンネルクロック生成手段の詳細について説明する。図３は、本発明の一実施の形態である光ディスク原盤作成装置におけるチャンネルクロック生成手段の第１の構成例の構成図である。
【００３１】
本発明に係るチャンネルクロック生成手段１４０ａは、半径情報を取得してチャンネルクロックの周波数に相当する電圧値に変換する半径周波数変換手段である半径情報変換１４１０と、電圧値をアナログに変換するＤ／Ａ変換１４２０と、電圧に応じたクロックを発生させるＶＣＯ１４３０と、から構成される。
【００３２】
半径情報変換１４１０は、記録半径に応じたチャンネルクロック周波数を生成するために必要な電圧値が記録半径に対応して登録されている変換情報を有しており、レーザービーム・レコーダ２００から取得した半径情報に対応する電圧値を出力する。電圧値は、Ｄ／Ａ変換１４２０に送られる。
【００３３】
Ｄ／Ａ変換１４２０は、ディジタルで入力する電圧値をアナログの電圧値に変換し、ＶＣＯ１４３０へ送る。
ＶＣＯ１４３０は、電圧に応じた周波数のクロックを発振する。これにより、記録半径に対応した周波数のチャンネルクロックが出力されることになる。
【００３４】
このような構成のチャンネルクロック生成手段１４０ａでは、半径情報変換１４１０は、レーザービーム・レコーダ２００から半径情報を入力し、変換情報に基づいてガラス原盤２３０の記録半径に対応する電圧値を取得する。電圧値は、Ｄ／Ａ変換１４２０に送られ、アナログの電圧値に変換される。ＶＣＯ１４３０は、電圧、すなわち記録半径に応じた周波数のチャンネルクロックを生成し、ＥＦＭ出力回路１３０に供給する。
【００３５】
次に、さらに正確な記録半径を取得するための構成について説明する。図４は、本発明に係るチャンネルクロック生成手段の第２の構成例の構成図である。図３と同じものには同じ番号を付し、説明は省略する。
【００３６】
本発明に係るチャンネルクロック生成手段１４０ｂは、図３のチャンネルクロック生成手段１４０ａの構成に、さらに、タコパルスを半径情報の補正値に変換するタコパルス半径情報変換１４４０と、ＶＣＯの補正を行なうＶＣＯ線形補正１４５０が追加されている。
【００３７】
タコパルス半径情報変換１４４０は、タコパルスとタコパルスに応じた半径情報の補正値とを対応させたタコパルス半径変換情報を有しており、記録制御手段２５０から取得したタコパルスに応じた補正値を算出し、半径情報変換１４１０に送出する。レーザービーム・レコーダ２００によっては、半径情報が随時更新されないもの（例えば、１０トラック毎に半径情報を更新する）もあり、このような半径情報に対しては、タコパルスからの情報に応じた補正を行なう必要がある。ＶＣＯ線形補正１４５０は、ＶＣＯ１４３０の出力する電圧と発振周波数との関係が線形でないような場合等の補正を行なうものである。
【００３８】
このようなチャンネルクロック生成手段１４０ｂでは、タコパルス半径情報変換１４４０は、タコパルスを取得し、半径情報の補正値を算出し、補正値を半径情報変換１４１０に送る。半径情報変換１４１０は、半径情報と補正値とを取得し、半径情報を補正した後、変換情報に基づいて記録半径に対応する電圧値を取得する。電圧値は、ＶＣＯ線形補正１４５０で補正された後、Ｄ／Ａ変換１４２０でアナログの電圧に変換される。ＶＣＯ１４３０は、電圧、すなわち記録半径に応じた周波数のチャンネルクロックを生成し、ＥＦＭ出力回路１３０に供給する。
【００３９】
次に、ＶＣＯ１４３０をデジタルシンセサイザーに変換した構成について説明する。図５は、本発明に係るチャンネルクロック生成手段の第３の構成例の構成図である。図３、図４と同じものには同じ番号を付し、説明は省略する。
【００４０】
本発明に係るチャンネルクロック生成手段１４０ｃは、図４のチャンネルクロック生成手段１４０ｂのＶＣＯ線形補正１４５０、Ｄ／Ａ変換１４２０、及びＶＣＯ１４３０とをデジタルシンセサイザー１４６０に置き換えている。ここで、半径情報変換１４１０は、出力として電圧値ではなく、直接チャンネルクロックの周波数を出力する。
【００４１】
デジタルシンセサイザー１４６０は、出力されたチャンネルクロックの周波数を入力し、設定された周波数のチャンネルクロックを出力する。デジタルシンセサイザー１４６０では、補正等の必要はない。
【００４２】
次に、チャンネルクロックの周波数を広範囲にする場合の構成について説明する。図６は、本発明に係るチャンネルクロック生成手段の第４の構成例の構成図である。図５と同じものには同じ番号を付し、説明は省略する。
【００４３】
本発明に係るチャンネルクロック生成手段１４０ｄは、図５のチャンネルクロック生成手段１４０ｃのデジタルシンセサイザー１４６０をデジタルシンセサイザーＡ（１４６１）、デジタルシンセサイザーＢ（１４６２）及び出力信号の合成を行なう合成１４６３と、に置き換えている。
【００４４】
デジタルシンセサイザーＡ（１４６１）及びデジタルシンセサイザーＢ（１４６２）は、それぞれ発振する周波数帯域が異なっており、半径情報に応じたチャンネルクロックの周波数に適した側からチャンネルクロックが、合成手段１４６３により選択されて出力される。
【００４５】
次に、チャンネルクロックの周波数を広範囲にする場合の他の構成について説明する。図７は、本発明に係るチャンネルクロック生成手段の第５の構成例の構成図である。図５と同じものには同じ番号を付し、説明は省略する。
【００４６】
本発明に係るチャンネルクロック生成手段１４０ｅは、図５のチャンネルクロック生成手段１４０ｃのデジタルシンセサイザー１４６０が出力する周波数をＰＬＬ１４７０により変換している。
【００４７】
ＰＬＬ１４７０は、位相比較器１４７１、ローパスフィルター１４７２、ＶＣＯ１４７３、分周器１４７４から構成される。
例えば、デジタルシンセサイザー１４６０の発振周波数より高い周波数が必要な場合、ＶＣＯ１４７３は高い周波数を発振するものを選択する。ＶＣＯ１４７３の出力を分周器１４７４によって分周し、位相比較器１４７１によりデジタルシンセサイザー１４６０と位相を合わせることにより、所望の周波数のチャンネルクロックを生成する。
【００４８】
次に、ＶＣＯの分周比を変更することにより所望の周波数のチャンネルクロックを得る構成について説明する。図８は、本発明に係るチャンネルクロック生成手段の第６の構成例の構成図である。図５と同じものには同じ番号を付し、説明は省略する。
【００４９】
本発明に係るチャンネルクロック生成手段１４０ｆは、図５のチャンネルクロック生成手段１４０ｃのデジタルシンセサイザー１４６０を、ＰＬＬ１４８０に入れ替えている。
【００５０】
ＰＬＬ１４８０は、位相比較器１４８１、基準クロック１４８２、ローパスフィルター１４８３、ＶＣＯ１４８４及び分周器１４８５とから構成されている。
ここでは、半径情報変換１４１０は、半径情報に応じたチャンネルクロックの周波数を得るための分周比を出力する。
【００５１】
半径情報変換１４１０は、半径情報の記録半径が大きくなるに従って分周器１４８５の分周比を下げるように分周比を設定する。ＶＣＯ１４８４の出力は、分周器１４８５により分周され、所望の周波数のチャンネルクロックが生成される。
【００５２】
【発明の効果】
以上説明したように本発明の光ディスク原盤作成装置では、マスターから読み取った情報データを記録変調信号に変換し、チャンネルクロックに従って発生信号を生成する。光ディスク原盤は、一定回転数で回転するように制御されており、光ディスク原盤上を移動するヘッドより発生信号に従ったレーザー光が照射され、記録が行なわれる。発生信号を決定するチャンネルクロックは、ヘッドの位置に応じた周波数で生成される。
【００５３】
このように、ヘッドの位置に応じた周波数のチャンネルクロックを生成し、発生信号を変化させることにより、光ディスク原盤の回転速度一定で、例えば、線速度一定のＣＬＶ方式のカッティングを行なうことができる。ＣＬＶ方式のカッティングを、メカ系を含む回転制御で行なうのでなく、電気系の周波数制御で行なうため、簡潔で安価な光ディスク原盤作成装置を提供することができる。
【００５４】
また、光ディスク原盤の回転速度に応じて、チャンネルクロックの周波数制御を行なうため、回転数を上げてのカッティングを容易に行なうことが可能で、カッティング時間を短縮することができる。
【００５５】
また、本発明の光ディスク原盤作成方法では、マスターから取得した情報データから記録変調信号を生成する。所定のチャネルクロックが生成され、記録変調信号が所定のチャネルクロックに従って発生される。光ディスク原盤への記録は、光ディスク原盤を一定回転数で回転させ、光ディスク原盤表面に発生信号に応じたレーザー光を照射することにより行なう。このときのヘッドの位置に関する位置情報を生成し、位置情報に基づいて所定のチャンネルクロックの周波数を設定する。設定に基づいてチャンネルクロックの周波数が変更される。
【００５６】
このように、ヘッドの位置に応じたチャンネルクロックの周波数が設定され、これに応じて適した発生信号が出力されるので、光ディスク原盤の回転速度一定で、例えば、線速度一定のＣＬＶ方式のカッティングを行なうことができる。また、光ディスク原盤の回転速度に応じて、チャンネルクロックの周波数制御を行なうため、回転数を上げてのカッティングを容易に行なうことが可能で、カッティング時間を短縮することができる。
【図面の簡単な説明】
【図１】本発明の一実施の形態である光ディスク原盤作成装置の構成図である。
【図２】本発明の一実施の形態である光ディスク原盤作成装置におけるＣＬＶ方式のＥＦＭ信号と原盤の回転数の関係を示した図である。
【図３】本発明の一実施の形態である光ディスク原盤作成装置におけるチャンネルクロック生成手段の第１の構成例の構成図である。
【図４】本発明に係るチャンネルクロック生成手段の第２の構成例の構成図である。
【図５】本発明に係るチャンネルクロック生成手段の第３の構成例の構成図である。
【図６】本発明に係るチャンネルクロック生成手段の第４の構成例の構成図である。
【図７】本発明に係るチャンネルクロック生成手段の第５の構成例の構成図である。
【図８】本発明に係るチャンネルクロック生成手段の第６の構成例の構成図である。
【図９】従来の光ディスク原盤作成装置の構成図である。
【図１０】従来のＣＬＶ方式のＥＦＭ信号と原盤の回転数の関係を示した図である。
【符号の説明】
１００・・・ＥＦＭ信号送出装置、１１０・・・読み取りドライブ、１２０・・・ＣＰＵ、１３０・・・ＥＦＭ出力回路、１４０・・・可変チャンネルクロック生成手段、２００・・・レーザービーム・レコーダ、２１０・・・ＥＬ変換、２２０・・・ヘッド、２３０・・・ガラス原盤、２４０・・・モーター、２５０・・・制御ブロック
【図１】
0004545986.tif 000002
【図２】
0004545986.tif 000003
【図３】
0004545986.tif 000004
【図４】
0004545986.tif 000005
【図５】
0004545986.tif 000006
【図６】
0004545986.tif 000007
【図７】
0004545986.tif 000008
【図８】
0004545986.tif 000009
【図９】
0004545986.tif 000010
【図１０】
0004545986.tif 000011